(57)【要約】【課題】ＡＬＣ製壁パネルに縦胴縁を介して壁材を取り付ける施工に際し、施工効率よく、地震等の影響を受けない構造を得ること。【解決手段】上下階にそれぞれ配されたＡＬＣ製壁パネル３と、前記ＡＬＣ製壁パネル３に固定された複数の縦胴縁５と、前記縦胴縁５に固定された壁材１２とからなり、前記縦胴縁５は、前記ＡＬＣ製壁パネル３の上階部分または下階部分にはみ出し、またがるように固定されている。【選択図】図１
0003130926.tif 000002
【実用新案登録請求の範囲】
【請求項１】
上下階にそれぞれ配されたＡＬＣ製壁パネルと、前記ＡＬＣ製壁パネルに固定された複数の縦胴縁と、前記縦胴縁に固定された壁材と、からなり、前記縦胴縁は、前記ＡＬＣ製壁パネルの上階部分または下階部分にはみ出し、またがるように固定されていることを特徴とする外壁施工構造。
【請求項２】
前記縦胴縁は、前記ＡＬＣ製壁パネルへのまたがり部分の略対面位置に切り欠き部が形成されていることを特徴とする請求項１に記載の外壁施工構造。
【請求項３】
請求項１に記載の外壁施工構造であって、
さらに前記縦胴縁は、前記ＡＬＣ製壁パネルとの間に所定幅の空隙を形成する空隙形成部材を挟持して固定されていることを特徴とする外壁施工構造。
【請求項４】
請求項３に記載の外壁施工構造であって、
前記空隙形成部材は、前記縦胴縁の前記ＡＬＣ製壁パネルへのはみ出し位置に挟持されていることを特徴とする外壁施工構造。
【請求項５】
請求項３に記載の外壁施工構造であって、
前記空隙形成部材は、前記縦胴縁の前記ＡＬＣ製壁パネルへのはみ出し位置以外の位置に挟持されていることを特徴とする外壁施工構造。
【請求項６】
請求項１に記載の外壁施工構造であって、
さらに、前記縦胴縁は、前記ＡＬＣ製壁パネルとの間に所定幅の空隙を保って固定されるために使用される固定部材によって、該ＡＬＣ製壁パネルに固定されていることを特徴とする外壁施工構造。
【請求項７】
前記縦胴縁のまたがり部分の端部において、縦胴縁の端面と対面する一方の縦胴縁の端面との間に隙間が形成されていることを特徴とする請求項１〜６のいずれか１項に記載の外壁施工構造。
【請求項８】
上下階にまたがって配設される壁材は、壁材の上下端の一方または双方が水平方向にスライド自在な状態で縦胴縁に固定されていることを特徴とする請求項１〜７のいずれか１項に記載の外壁施工構造。
【請求項９】
ＡＬＣ製壁パネルは、ＡＬＣ製の既存壁であることを特徴とする請求項１〜８のいずれか１項に記載の外壁施工構造。
【請求項１０】
ＡＬＣ製壁パネルは、外壁または内壁であることを特徴とする請求項１〜９のいずれか１項に記載の外壁施工構造。
【考案の詳細な説明】
【技術分野】
【０００１】
本考案は、ＡＬＣ（軽量気泡コンクリートの一つ）からなる壁面の上に、縦胴縁を取り付け、この縦胴縁に化粧用外壁材を留め付けることにより、新たな化粧仕上げ壁面を構築するようにした外壁施工構造に関するものである。
【背景技術】
【０００２】
一般に、鉄骨造の建築物では、ＡＬＣ製外壁パネルを用い、該ＡＬＣ製外壁パネル裏面に取り付けられた取り付け金具を介してこれを鉄骨躯（く）体に取り付けるようにしている。このＡＬＣ製外壁パネルそのものを仕上げ外壁として用いた既存建築物においては、ＡＬＣ製外壁パネルが、汚染、退色、変形、クラックなどの損傷を起こし、見栄えの悪いものとなった場合には、改修工事を行っていた。この改修工事においては、ＡＬＣ製外壁パネルの全部を新しいものと交換する手法が取られている。ところが、この場合には、大がかりな改修工事となり、施工期間が長期化し、施工費用も増大するという欠点がある。
【０００３】
そこで、従来より、図１１に示すように、鉄骨構造体１にＬ型のアングル材２等を用いてＡＬＣ製壁パネル３を、各階層ごとに取り付け、該ＡＬＣ製壁パネル３の表面に、専用のビス４を介して縦胴縁５を取り付け、さらに、この縦胴縁５の外側に壁パネル６を取り付けて内側の壁面（ＡＬＣ製壁パネル３の壁面）を隠すように施工する手法（重ね張り工法）が採用されている。とくに、建物の階数が複数階である場合には、前記縦胴縁５は、上下の階のＡＬＣ製壁パネル３，３間にまたがって取り付けられて、さらに、縦胴縁５，５どうしの上下の端面と端面は、隙間をあけずに、突き合わされて取り付けられている。
【０００４】
ところが、縦胴縁５を上下の階のＡＬＣ製壁パネル３，３の表面にまたがって取り付けて、さらに、胴縁５，５どうしが突き合わされている状態でこれら縦胴縁５，５に壁パネル６，６を取り付けた前記従来の施工構造では、地震などの振動があると、建物の鉄骨構造体１に取り付けられたＡＬＣ製壁パネル３，３自体は、各階層間においてそれぞれ独自の変形をするが、前記縦胴縁５およびこれに取り付けられた壁パネル６は建物自体の各階層間の動きとは異なる動きをする。そのため、壁パネル６，６の上下の階層間にまたがる接合部では、上層階の壁パネル６の下端と、下層階の壁パネル６の上端との間で異なる動きが生じ、該壁パネル６，６どうしの接合部が破損したり、縦胴縁５を取り付けているＡＬＣ製壁パネル３のビス４の周辺が破損したり、縦胴縁５が破損や脱落するおそれがあるなどの問題があった。
【０００５】
さらに、縦胴縁５の上側および下側の端部において、縦胴縁５，５どうしの端面と端面が、隙間をあけずに突き合わされて取り付けられていると、隙間がないために、ＡＬＣ製壁パネル３の収縮や、縦胴縁５，５自身の熱膨張などによる伸長によって縦胴縁５，５どうしがぶつかり合い、縦胴縁５が変形や破損するなどの問題もあった。とくに、アルミ製などの線膨張率の大きい（温度上昇による伸びる長さの割合が大きい）金属製胴縁だと、この問題の発生は顕著であった。
【０００６】
かかる問題の解決方法として、特開２０００−２７４０４９号公報には、上下の各階のＡＬＣ製既存外壁パネルにまたがらないように各階ごとに縦胴縁を取り付けることによって、地震などにより上下の階層のＡＬＣ製既存外壁パネルが異なる動きをした場合には、上下の階層間で別個の動きをし、縦胴縁が損傷を受けることを防止しており、さらに、上下の階にまたがって配設される外壁パネルについては、その上下端の一方または双方がスライド自在な構造とすることで、その接合部が相互にスライドするため、各階層の動きの影響を受けて損傷すること等を防止する既存外壁面の外壁パネルによる改修構造が開示されている（特許文献１）。
【０００７】
しかしながら、この改修構造の場合、上記した問題点を解決してはいるものの、実際の施工現場においては、さらに、下記４点の問題がある。
【０００８】
第１の問題は、下記の不陸の影響に関する２つの問題である。
・上下の階のＡＬＣ製壁パネルの外側表面の相互間に段差状の不陸がある場合、そのまま胴縁を取り付けると、壁パネル相互の表面にも不陸が発生し、仕上がりの美観上好ましくないこと。
・さらに、上記と同様に不陸がある場合、ＡＬＣ製壁パネルの上側または下側において、縦胴縁の端面と、対面するＡＬＣ製壁パネルの端面と、が非常に近接していると、地震などにより上下の階層のＡＬＣ製既存外壁パネルが異なる動きをした場合には、縦胴縁の端面と対面するＡＬＣ製壁パネルの端面とが互いに接触し、縦胴縁が破壊されたり、脱落したりするおそれがあること。
【０００９】
第２の問題は、縦胴縁をＡＬＣ製壁パネルに取り付ける前に、ＡＬＣ製壁パネルの縦方向の寸法を１枚ごとに正確に測定し、さらに縦胴縁の縦方向の長さを厳密に正確な寸法で切断し、ＡＬＣ製壁パネルの割り付けに応じてＡＬＣ製壁パネルの縦方向の正確な位置に縦胴縁を取り付けなければならず、寸法測定や加工、取り付けに時間がかかるなど、余分な時間がかかり、施工能率が劣るという問題である。
【００１０】
第３の問題は、ビスの代わりに、一般的な貫通型のＡＬＣ用はさみ固定式のあと施工アンカーを用いる場合、縦胴縁の強度が不足したり変形量が大きくなってしまうことを解消するために、縦胴縁の材料費が上昇する問題である。
【００１１】
さらに、第４の問題として、上記と同様の貫通型のＡＬＣ用はさみ固定式のあと施工アンカーを用いるとき、縦胴縁の形状や孔（あな）があらかじめ工場にて加工される場合、あと施工アンカーによって固定される縦胴縁の孔部分に関しては、一本の縦胴縁の上側および下側の孔の位置を、上下端部からそれぞれ別々の寸法に設定して、孔を加工しなければならない問題がある。つまり、上下の孔の位置を共通化して胴縁の上下端部から同じ寸法位置に設定して加工するよりも、加工に余分に手間がかかり、加工費の上昇につながってしまう、という問題である。
【００１２】
【特許文献１】特開２０００−２７４０４９号
【考案の開示】
【考案が解決しようとする課題】
【００１３】
本考案は、上記の問題点を解決するためになされたものであり、ＡＬＣ製壁パネルに対して、壁材によって美観よく、かつ施工効率よく外壁を構築することが可能な外壁施工構造を提供することを目的としている。
【課題を解決するための手段】
【００１４】
本考案の上記目的は、上下階にそれぞれ配されたＡＬＣ製壁パネルと、前記ＡＬＣ製壁パネルに固定された複数の縦胴縁と、前記縦胴縁に固定された壁材とからなり、前記縦胴縁が、前記ＡＬＣ製壁パネルの上階部分または下階部分にはみ出し、またがるように固定されていることを特徴とする外壁施工構造により達成される。
【００１５】
また、本考案の上記目的は、さらに、前記縦胴縁が、前記ＡＬＣ製壁パネルへのまたがり部分の略対面位置に切欠部が形成されていることを特徴とする外壁施工構造により、より効果的に達成される。
【００１６】
また、本考案の上記目的は、さらに、前記縦胴縁が、前記ＡＬＣ製壁パネルとの間に所定幅の空隙を形成する空隙形成部材を挟持して固定されていることを特徴とする外壁施工構造により、さらに効果的に達成される。
【００１７】
また、本考案の上記目的は、さらに、前記空隙形成部材が、前記縦胴縁の前記ＡＬＣ製壁パネルへのはみ出し位置に挟持されていることを特徴とする外壁施工構造により、さらにより効果的に達成される。
【００１８】
また、本考案の上記目的は、さらに、前記空隙形成部材が、前記縦胴縁の前記ＡＬＣ製壁パネルへのはみ出し位置以外の位置に挟持されていることを特徴とする外壁施工構造により、さらにより効果的に達成される。
【００１９】
また、本考案の上記目的は、さらに、前記縦胴縁が、前記ＡＬＣ製壁パネルとの間に所定幅の空隙を保って固定されるために使用される固定部材によって、該ＡＬＣ製壁パネルに固定されていることを特徴とする外壁施工構造により、さらにより効果的に達成される。
【００２０】
また、本考案の上記目的は、さらに、前記縦胴縁のまたがり部分の端部において、縦胴縁の端面と対面する一方の縦胴縁の端面との間に隙間（すきま）が形成されていることを特徴とする外壁施工構造により、さらにより効果的に達成される。
【００２１】
また、本考案の上記目的は、さらに、上下階にまたがって配設される壁材が、壁材の上下端の一方または双方が水平方向にスライド自在な状態で縦胴縁に固定されていることを特徴とする外壁施工構造により、さらにより効果的に達成される。
【００２２】
また、本考案の上記目的は、さらに、ＡＬＣ製壁パネルが、ＡＬＣ製の既存壁であることを特徴とする外壁施工構造により、さらにより効果的に達成される。
【００２３】
また、本考案の上記目的は、さらに、ＡＬＣ製壁パネルが、外壁または内壁であることを特徴とする外壁施工構造により、さらにより効果的に達成される。
【考案の効果】
【００２４】
本考案にかかる外壁施工構造によれば、壁体として組み付けられた上下の各階のＡＬＣ製壁パネルに、またがるように各階ごとに縦胴縁が取り付けられ、しかも、上下の各階のＡＬＣ製壁パネルにまたがる縦胴縁のまたがり部分については、各階のＡＬＣ製壁パネルに対してビスなどで固定せずに滑動自由な状態となっているので、地震などによって、上下の階層のＡＬＣ製壁パネルが異なる動きをした場合であっても、縦胴縁はそれぞれの階層のＡＬＣ製壁パネルごとに独立した個別の動きをし、縦胴縁などが損傷を受けるということはなくなる。
【００２５】
また、上記の縦胴縁の取り付け構造に加えて、上下の階にまたがって配設される壁材についても、壁材の上下端の一方または双方が水平方向にスライド自在な状態に取り付けられているので、上下の階層にまたがる壁材は各階層の影響を受けることがなくなり、その損傷などがなくなる。
【００２６】
さらに、上下の各階のＡＬＣ製壁パネルに、またがるように各階ごとに縦胴縁が取り付けられるため、上下のＡＬＣ製壁パネルどうしの相互の不陸の影響を緩和し、壁パネルの仕上がり美観を向上させることができる。また、同様に不陸があり、かつ、地震時の場合、縦胴縁の端面と対面するＡＬＣ製壁パネルの端面との接触がないため、縦胴縁の破損を防ぐことができる。
【００２７】
さらに、縦胴縁の上側および下側の端部において、縦胴縁どうしの端面と端面との間に隙間を設けた状態で、縦胴縁が取り付けられているので、ＡＬＣ製壁パネルの収縮や、縦胴縁自身の熱膨張などによる伸長によって縦胴縁どうしがぶつかり合い、縦胴縁が変形や破損することをなくすことができる。
【００２８】
また、ＡＬＣ製壁パネルの縦方向の寸法を１枚ごとに正確に測定しなくてもよく、さらに縦胴縁の縦方向の長さを厳密に正確な寸法で切断しなくてもよいので、多少長めに切断するだけでよく、ＡＬＣ製壁パネルの割り付けに応じた縦方向の正確な位置に縦胴縁を取り付けることが不要となるので、寸法測定や加工、取り付けの時間を短縮し、施工能率を向上させることができる。
【００２９】
さらに、貫通型のＡＬＣ用はさみ固定式のあと施工アンカーを用いる場合であっても、またがるように各階ごとに縦胴縁が取り付けられることによって、縦胴縁の材端とアンカーまでの距離を適切に設定できるので、縦胴縁の材料費の増加を最小限にすることができる。
一般的に、図８に示すように、あと施工アンカー１７が床などの主要構造部と干渉して、施工不良をまねくという問題がある（図は、壁パネル６およびアンカーを構成するバネ部分、ボルトを省略している）。この問題の原因は、アンカーの施工手順を図９に示すように、アンカーの施工構造、固着構造が回転式のロールプレートによるため、ロールプレート部が自重で回転するための空間が必要とされるからである。
この問題を解決する方法の一つとして、図１０に示すように、上層階のＡＬＣ製壁パネル３の下側に位置するあと施工アンカー１７の位置を上方に移動して、それを主要構造部と干渉しない位置に設ける方法が考えられる。しかし、前記改修構造を適用しても、今度は、上層階のＡＬＣ製壁パネル３に固定される縦胴縁５の下側の端部とあと施工アンカー１７との距離Ｌが長くなってしまい、縦胴縁５の強度が不足したり変形量が大きくなってしまうおそれがある。風圧力などの外力に抗するためには、片持ち梁状になっている縦胴縁５の部分自身の曲げに対する強度を上げる必要があり、ひいては縦胴縁５の材料費の上昇をまねく。しかし、このような場合であっても、上下の各階のＡＬＣ製壁パネルに、またがるように各階ごとに縦胴縁を取り付けて、縦胴縁の材端とアンカーまでの距離を適切に設定することによって、縦胴縁の材料費の増加を最小限にすることができる。
【００３０】
また、あらかじめ工場にて縦胴縁の形状や孔を加工する場合、縦胴縁の上下端部の孔の位置寸法を共通化して孔を加工することができるため、加工効率を向上させることができる。
【００３１】
したがって、本考案にかかる外壁施工構造によれば、地震などによって縦胴縁や壁材が振動によって損傷を受けることがないうえに、不陸の影響を緩和して壁パネルの仕上がり美観を向上させ、縦胴縁の端面と対面するＡＬＣ製壁パネルの端面との接触することによる破損が回避でき、胴縁の切断、取り付けといった施工面での能率を高めることができ、貫通型のＡＬＣ用はさみ固定式のあと施工アンカーを用いる場合であっても、縦胴縁の材料費を増加させることがなく、縦胴縁の加工能率を向上することができるため、その有用性はきわめて高い。
【考案を実施するための最良の形態】
【００３２】
図１から図７に従って、本考案の最適な実施態様について説明する。
図１から図５と、図７に、本考案の実施の形態にかかる外壁施工構造の例をそれぞれ示す縦断面図である。
図６は、本考案の外壁施工構造の部分斜視図をであって、図７における縦胴縁のＡＬＣ製壁パネルへの固定状態を示す。
【００３３】
［実施例１］
図１に示すように、ＡＬＣ製壁パネル３，３が、内側の壁面として、上下の階層の鉄骨構造体１のＬ型アングル材２にそれぞれ独立して取り付けられている。このＡＬＣ製壁パネル３，３に重ね張り工事を行うに際し、縦胴縁５の一方が、上下の各階のＡＬＣ製壁パネル３，３のすくなくとも一方にまたがるように取り付けられ、またがり部分についてはビスなどで固定せずに滑動自由な状態でもって、各階層ごとのＡＬＣ製壁パネル３，３に取り付けられている。そして、この縦胴縁５，５に対して、重ね張りのために準備した壁材１２が上下の階層にまたがって取り付けられている。
【００３４】
壁材１２の上端面には下実（したざね）７が形成されており、下端面には前記下実７に対応する上実（うわざね）８が形成されている。壁材１２の上端面は、下実７に留め付け金具９を係合し、この留め付け金具９を金具用ビス１０でもって縦胴縁５へ固定するようにしている。下実７は、留め付け金具９が係合されるだけであり、水平方向に自由にスライドすることが可能である。またこの上端面の下実７に対して、上位の階層の壁材１２の下端面の上実８が嵌合装着されており、上下の壁材１２，１２どうしは、下実７と上実８とが相互にスライド自在である。
【００３５】
このような壁面の施工構造であれば、縦胴縁５，５のそれぞれが各階層の壁面であるＡＬＣ製壁パネル３，３のそれぞれに独立して個別に取り付けられているので、地震等があっても上下の階層間における縦胴縁５，５は、鉄骨構造体１およびＡＬＣ製壁パネル３，３の各階ごとの動きに対応してそれぞれが独立した挙動をする。つまり、縦胴縁５，５は、各階ごとのＡＬＣ製壁パネル３，３と同じ挙動をするので、縦胴縁５，５を取り付けているビス４，４のＡＬＣ製壁パネル３，３の周囲が損傷したり、クラックが発生する等の不具合は起こらない。また重ねて取り付けた外側の壁材１２，１２は、上下の壁材１２，１２の上下端（接合部分）が水平方向にスライド自在な嵌合状態にあるため、地震などがあっても接合部分が損傷するなどの不具合をまねくことはない。
【００３６】
また、上下の各階のＡＬＣ製壁パネル３，３の表面どうしの相互間に不陸がある場合であっても、縦胴縁５の一方が、上下の各階のＡＬＣ製壁パネル３，３のすくなくとも一方にまたがるように取り付けられているため、縦胴縁５が、連続的に変形することによって、ＡＬＣ製壁パネル３，３の双方の表面に馴染ませられながら取り付けられる。これにより、縦胴縁５，５の表面どうしの不陸や、壁材１２，１２どうしの不陸を緩和し、壁材１２の仕上がり美観を向上させることができる。
【００３７】
さらに、上記と同様であったとしても、縦胴縁５の一方が、上下の各階のＡＬＣ製壁パネル３，３のすくなくとも一方にまたがるように取り付けられているため、地震時の、縦胴縁５の端面とＡＬＣ製壁パネル３の端面との接触のおそれを回避できるため縦胴縁５の破損を防止することができる。
【００３８】
そのうえ、縦胴縁５の上側および下側の端部において、縦胴縁５，５どうしの端面と端面と間に、隙間１８を設けている。これは、ＡＬＣ製壁パネル３が縦方向に収縮することによって縦胴縁５，５どうしがぶつかり合い、縦胴縁５が変形しないようにするため、さらに、縦胴縁５，５自身の熱膨張などによる伸長によって縦胴縁５，５どうしがぶつかり合い、縦胴縁５が変形しないようにするために設けている。これにより、縦胴縁５の破損を防止することができる。
さらに、隙間１８は、空気層１３内の横方向の空気の流れを確保することができるため、空気層１３の縦方向の空気の流れとあわせて通気空間を形成することにより、雨水が空気層１３内に浸入したときの湿気の排出を向上させることができる。
【００３９】
図２に示す例は、図１の変形例であり、ここでは、ビス４の代わりにあと施工アンカー１７を用いて、縦胴縁５、５がＡＬＣ製壁パネル３，３に取り付けられている。その他の構成や効果は、図１と同様である。
【００４０】
［実施例２］
図３に示す例は、図１に示す実施例１と同様に、縦胴縁５，５が、上下の各階のＡＬＣ製壁パネル３，３のすくなくとも一方にまたがるようになっており、さらに、またがり部分のＡＬＣ製壁パネル３に対してはビスなどで固定せずに滑動自由な状態で、各階層ごとのＡＬＣ製壁パネル３，３に取り付けられ、縦胴縁５，５に留め付け金具９を介して壁材１２を取り付けるようにしてある。ここでは、縦胴縁５は、ＡＬＣ製壁パネル３の一方へのまたがり部分の対面位置に切り欠き部１１が設けられ、またがり部分において、ＡＬＣ製壁パネル３の一方との間に空隙１４が設けられている。この空隙１４を設けることによって、実施例１よりも、さらに滑動自由な状態になっている。また、切り欠き部１１と空隙１４とを設けることにより、ＡＬＣ製壁パネル３自身の不陸やＡＬＣ製壁パネル３，３どうしの不陸による縦胴縁５，５の不陸を調整することができ、さらに、壁材１２，１２の不陸を低減し、仕上がり美観を向上させることができる。その他は、実施例１と同様である。
【００４１】
［実施例３］
図４に示す例は、縦胴縁５，５とＡＬＣ製壁パネル３との間の一部に空隙形成部材１５を設け、縦胴縁５，５が、上下の各階のＡＬＣ製壁パネル３，３のすくなくとも一方にまたがるように、各階層ごとのＡＬＣ製壁パネル３，３に取り付けられ、縦胴縁５，５に留め付け金具９を介して壁材１２を取り付けるようにしたものである。ここでは、ＡＬＣ製壁パネル３の一方にまたがる縦胴縁５のまたがり部分とＡＬＣ製壁パネル３の一方との間には空隙形成部材１５と空隙１４が設けられている。この空隙１４を設けることによって、実施例１よりも、さらに滑動自由な状態になっている。
また、ＡＬＣ製壁パネル３の一方にまたがる縦胴縁５のまたがり部分とＡＬＣ製壁パネル３の一方との間には空隙形成部材１５と空隙１４とが設けられているため、実施例２にくらべ、より安定した状態で縦胴縁５をＡＬＣ製壁パネル３に取り付けることができる。
さらに、空隙形成部材１５と空隙１４とを設けることにより、ＡＬＣ製壁パネル３自身の不陸やＡＬＣ製壁パネル３，３どうしの不陸による縦胴縁５，５の不陸を調整することができ、さらに、壁材１２，１２の不陸を低減し、仕上がり美観を向上させることができる。その他は、実施例１と同様である。
【００４２】
［実施例４］
図５に示す例は、縦胴縁５，５とＡＬＣ製壁パネル３，３との間の一部に空隙形成部材１５を設け、縦胴縁５，５が、上下の各階のＡＬＣ製壁パネル３，３のすくなくとも一方にまたがるように、各階層ごとのＡＬＣ製壁パネル３，３に取り付けられ、縦胴縁５，５に留め付け金具９を介して壁材１２を取り付けるようにしたものである。ここでは、ＡＬＣ製壁パネル３の一方にまたがる縦胴縁５のまたがり部分とＡＬＣ製壁パネル３の一方との間には空隙形成部材１５を設けずに空隙１４のみが設けられている。この空隙１４を設けることによって、実施例１より、さらに滑動自由な状態になっている。また、実施例３と同様に、空隙形成部材１５と空隙１４とを設けることにより、ＡＬＣ製壁パネル３自身の不陸やＡＬＣ製壁パネル３，３どうしの不陸による縦胴縁５，５の不陸を調整することができ、さらに、壁材１２，１２の不陸を低減し、仕上がり美観を向上させることができる。その他は、実施例１と同様である。
【００４３】
［実施例５］
図６、図７に示す例は、縦胴縁５，５の外側とＡＬＣ製壁パネル３，３との間の一部に固定部材１６を設け、縦胴縁５，５が、上下の各階のＡＬＣ製壁パネル３，３のすくなくとも一方にまたがるように、固定部材１６により、各階層ごとのＡＬＣ製壁パネル３，３に取り付けられ、縦胴縁５，５に留め付け金具９を介して壁材１２を取り付けるようにしたものである。ＡＬＣ製壁パネル３の一方にまたがる縦胴縁５のまたがり部分とＡＬＣ製壁パネル３の一方との間には空隙１４が設けられている。ここでは、固定部材１６は、縦胴縁５，５の側面とＡＬＣ製壁パネル３，３との間の一部に設けられており、縦胴縁５，５の側面に当接して固着されている。また、ビス４の代わりに、あと施工アンカー１７を用いて、縦胴縁５，５は、固定部材１６を介してＡＬＣ製壁パネル３，３に取り付けられている。このように、固定部材１６と空隙１４とを設けることにより、ＡＬＣ製壁パネル３自身の不陸やＡＬＣ製壁パネル３，３どうしの不陸による縦胴縁５，５の不陸を調整することができ、さらに、壁材１２，１２の不陸を低減し、仕上がり美観を向上させることができる。その他は、実施例１と同様である。
【００４４】
なお、本考案は上述した実施例の各形態に限定されるものではなく、適宜の変更が可能である。一例をあげれば、上下の壁材１２，１２の接合部は、各階層において独立した動きができるように、少なくともその一方がスライド自在となっておればよく、必ずしも両方がスライド自在となっている必要はない。
【００４５】
また、この実施例１〜５では、留め付け金具９を用いて壁材１２を浮かして取り付けることにより、壁材１２の裏面とＡＬＣ製壁面との間に空気層１３を形成することができ、空気の流れを形成することにより、結露の防止及び断熱性を向上させることが可能である。
【００４６】
また、縦胴縁の材質は、木製、金属製、樹脂製などがあげられ、風圧力などに対する強度が充分であり、容易に変形しない固体状のものであれば、いかなるものでもよいが、金属製もしくは木製のものが望ましい。
【００４７】
また、縦胴縁の上側および下側の端部において、縦胴縁どうしの端面と端面の間に設ける隙間は、縦胴縁の長さ、および縦胴縁の材質から得られる線膨張率、温度差によって求まる任意の寸法数値であってよい。縦胴縁が木質系材料の場合、線膨張率に変えて湿潤乾燥による膨張率を、温度差に変えて含水率など、を用いて求まる任意の寸法数値であってもよい。なお、縦胴縁の材質によっては支配的要素ではないが、ＡＬＣ製壁パネル自身の温度差に起因する伸縮などや、鉄骨構造物自身のそれをも考慮して、任意寸法数値を決定することはいうまでもない。
【００４８】
また、縦胴縁の断面形状は、長方形断面などがあげられ、風圧力などに対する強度が充分であり、容易に変形しない形状のものであれば、いかなる形状でもよいが、縦胴縁が木製にあっては長方形断面が、金属製にあっては中空長方形断面やリップ付きの溝型断面（Ｃ型）が、望ましい。
【００４９】
また、縦胴縁をＡＬＣ製壁パネルに留め付けるビスは、一例であり、他に、釘（くぎ）、接着剤を介した固定用ネジ、ボルトやナットなどと併用するあと施工アンカー、ナットとともに接着剤を併用するケミカルアンカー、などのファスナー類も使用可能である。
【００５０】
さらに、空隙形成部材の材質としては、木製、金属製、樹脂製などがあげられ、空隙形成部材については、ＡＬＣ製壁パネルの表面の不陸や、各階層ごとのＡＬＣ製壁パネルどうしの不陸などを調整するために、厚さを変えたものや、複数枚のそれを重ねて厚さを調整するとともに厚さを確保したものであってもよい。
【００５１】
また、固定部材の形状については、Ｌ型以外に、種々の形状があるが、空隙空間を保持でき、かつ、強度が充分なものであれば、いかなる形状であってもよい。またそれの材質も、強度が充分なものであれば、固体状のいかなるものであってもよい。一例をあげれば、日本工業規格  ＪＩＳ  Ｇ  ３１３６  建築構造用圧延鋼材  に規定される等辺山形鋼や不等辺山形鋼に不陸調整用の長穴を設け、ボルトおよびナット、平座金を組み合わせたものが望ましい。また、固定部材と縦胴縁とは、溶接により接合されても良い。
【００５２】
なお、壁材については、金属サイディング、複合金属サイディング、窯業系サイディング、押出成形セメント板、焼成板（陶板、セラミックボード）、など、地震や台風などの外力に耐える板状のものならば、いかなるものでもよい。また、窯業系サイディングや金属サイディングなどを基板として、それに陶磁器質タイルや石材などを貼着または結合したものであってもよい。
【図面の簡単な説明】
【００５３】
【図１】本考案の実施例１にかかる外壁施工構造の例を示す壁面の縦断面図。
【図２】本考案の実施例１にかかる外壁施工構造の変形例を示す壁面の縦断面図。
【図３】本考案の実施例２にかかる外壁施工構造の例を示す壁面の縦断面図。
【図４】本考案の実施例３にかかる外壁施工構造の例を示す壁面の縦断面図。
【図５】本考案の実施例４にかかる外壁施工構造の例を示す壁面の縦断面図。
【図６】図７に示す外壁施工構造の一部を示す斜視図。
【図７】本考案の実施例５にかかる外壁施工構造の例を示す壁面の縦断面図。
【図８】ＡＬＣ用あと施工アンカーを用いた場合の従来の壁面の縦断面図。
【図９】ＡＬＣ用あと施工アンカー（はさみ固定式）の施工手順を示す図。
【図１０】ＡＬＣ用あと施工アンカーを用いた場合の従来の壁面の縦断面図。
【図１１】従来の壁面の縦断面図。
【符号の説明】
【００５４】
１…鉄骨構造体（主要構造部）
２…Ｌ型アングル材
３…ＡＬＣ製壁パネル
４…ビス
５…縦胴縁
６…壁パネル
７…下実
８…上実
９…留め付け金具
１０…金具用ビス
１１…切り欠き部
１２…壁材
１３…空気層
１４…空隙
１５…空隙形成部材
１６…固定部材
１７…あと施工アンカー
１８…隙間
【図１】
0003130926.tif 000003
【図２】
0003130926.tif 000004
【図３】
0003130926.tif 000005
【図４】
0003130926.tif 000006
【図５】
0003130926.tif 000007
【図６】
0003130926.tif 000008
【図７】
0003130926.tif 000009
【図８】
0003130926.tif 000010
【図９】
0003130926.tif 000011
【図１０】
0003130926.tif 000012
【図１１】
0003130926.tif 000013